(57)【特許請求の範囲】
【請求項１】
炊飯器本体と、前記炊飯器本体の上部開口を覆う蓋体と、前記炊飯器本体の外装体に対して回転可能に軸支されるハンドルと、前記ハンドルに付勢力を加えるとともに前記ハンドルを所定位置に対して係合で位置決めする位置決め装置と、を備え、
前記ハンドルが、回動範囲において、所定位置から外れた所定外位置にあるときに、前記位置決め装置によって、前記ハンドルが所定位置に戻るように付勢され、
前記ハンドルが、直立位置と、前記直立位置から前方側に傾いた前傾位置との間の遊動範囲にあるとき、前記ハンドルの回動で生じる前記位置決め装置による付勢力が、実質的にゼロであることで、前記ハンドルが遊動する、炊飯器。
【請求項２】
前記ハンドルが、前記遊動範囲を除き、前記蓋体の前方上面に当接する前方当接位置から前記蓋体の後方上面に配設される蒸気排出口の上方位置までの前記回動範囲にあるとき、前記ハンドルが前記直立位置に戻るように付勢されている、請求項１に記載の炊飯器。
【請求項３】
前記位置決め装置が、前記ハンドルの軸部に設けられたカムと、前記外装体に取り付けられて前記カムの回動を規制するカム受け部材と、前記カムが前記カム受け部材に圧接するように前記カムを付勢する付勢部材と、を備える、請求項１又は２に記載の炊飯器。
【発明の詳細な説明】
【技術分野】
【０００１】
本発明は、ハンドルを有する炊飯器に関する。
【背景技術】
【０００２】
炊飯器は、一般的に、炊飯器本体の外装体に対して回転可能に軸支されるハンドルを備えている。ハンドルは、少なくとも、炊飯器を持ち運ぶときの垂直上方位置と、炊飯器を持ち運ばないときの後方位置との間で自在に回動するように構成されている。
【０００３】
例えば、特許文献１は、ハンドルが所定の嵌合位置、すなわち垂直上方位置又は後方位置を保持できる嵌合構造を持った炊飯器を開示している。すなわち、特許文献１の嵌合構造では、位置決め突部の頂部が嵌合溝部と嵌合すると、ハンドルが垂直上方位置に位置し、位置決め突部の頂部が回動溝部と嵌合すると、ハンドルが後方位置に位置する。このような嵌合構造では、付勢部材の付勢力によって各嵌合状態を保持している。
【先行技術文献】
【特許文献】
【０００４】
【特許文献１】特開２０１１−２４４８９０号公報
【発明の概要】
【発明が解決しようとする課題】
【０００５】
特許文献１の嵌合構造では、炊飯器を持ち運ぶときにハンドルが略垂直上方位置に対して傾斜した位置になることを防止するため、位置決め突部の頂部が嵌合溝部と嵌合している。そして、該嵌合構造では、略垂直上方位置からの位置ズレが容易に発生しないように付勢部材によって付勢されている。すなわち、ハンドルの略垂直上方位置が嵌合位置になっているとともに、付勢部材が嵌合位置を安定的に且つ固定的に保持するために用いられている。
【０００６】
上記嵌合構造では、ハンドルが嵌合位置に位置することを安定的に且つ固定的に保持することを可能にするが、ハンドルが当該嵌合位置から外れた嵌合外位置に位置することを困難にしている。そして、ハンドルが嵌合外位置に位置するための、すなわち、嵌合構造を解除するための、大きな回動力を必要とする。
【０００７】
このように、特許文献１の嵌合構造は、嵌合位置を安定的に且つ固定的に保持するためのものである。しかしながら、当該嵌合構造は、所定の嵌合位置にあるハンドルを嵌合外位置に変移させるのを小さな回動力で行うことが困難であり、ハンドルの操作性が良くないという問題がある。
【０００８】
したがって、本発明の解決すべき技術的課題は、ハンドルを所定位置に位置決めするとともに、ハンドルの操作性が良好である炊飯器を提供することである。
【課題を解決するための手段】
【０００９】
上記技術的課題を解決するために、本発明によれば、以下の炊飯器が提供される。
【００１０】
すなわち、本発明に係る炊飯器は、炊飯器本体と、前記炊飯器本体の上部開口を覆う蓋体と、前記炊飯器本体の外装体に対して回転可能に軸支されるハンドルと、前記ハンドルに付勢力を加えるとともに前記ハンドルを所定位置に対して係合で位置決めする位置決め装置と、を備え、前記ハンドルが、回動範囲において、所定位置から外れた所定外位置にあるときに、前記位置決め装置によって、前記ハンドルが所定位置に戻るように付勢されていることを特徴とする。
【００１１】
本発明では、位置決め装置によって、ハンドルが所定位置に係合で位置決めされるとともに、ハンドルが所定外位置にあるときには所定位置に戻るように付勢されている。したがって、位置決め装置によって、ハンドルが所定位置に確実に位置決めされるとともに、所定外位置にあるハンドルが所定位置に付勢されて戻るので、ハンドルの操作性が良好である。
【００１２】
前記所定位置が、直立位置又は後方位置であることが好ましい。このようにすれば、炊飯器を持ち運ぶときにはハンドルを直立位置にし、蓋体を開閉動作するときにはハンドルを後方位置にすることができ、使用態様に応じてハンドルの位置を最適化することができる。
【００１３】
前記ハンドルが、前記直立位置と、前記直立位置から前方側に傾いた前傾位置との間の遊動範囲にあるとき、前記ハンドルの回動で生じる前記位置決め装置による付勢力が、実質的にゼロであることで、前記ハンドルが遊動することが好ましい。このようにすれば、遊動状態のハンドルが直立位置から前傾位置の遊動範囲にあるので、炊飯器の持ち運び性やハンドルの把持性が向上する。
【００１４】
前記ハンドルが、前記遊動範囲を除き、前記蓋体の前方上面に当接する前方当接位置から前記蓋体の後方上面に配設される蒸気排出口の上方位置までの前記回動範囲にあるとき、前記ハンドルが前記直立位置に戻るように付勢されていることが好ましい。このようにすれば、ハンドルが、蓋体の前方上面に設けられることの多い操作パネル部に対して干渉することや、蓋体の後方上面に配設される蒸気排出口から排出される熱蒸気により熱せられることが防止される。
【００１５】
前記位置決め装置が、前記ハンドルの軸部に設けられたカムと、前記外装体に取り付けられて前記カムの回動を規制するカム受け部材と、前記カムが前記カム受け部材に圧接するように前記カムを付勢する付勢部材と、を備えることが好ましい。このようにすれば、位置決め装置を簡単な構成で実現することができる。
【発明の効果】
【００１６】
本発明の炊飯器では、位置決め装置によって、ハンドルが、所定位置に確実に位置決めされるとともに、所定外位置から所定位置に付勢されて戻るので、ハンドルの操作性が良好である。
【図面の簡単な説明】
【００１７】
【図１】本発明の一実施形態に係る炊飯器の斜視図。
【図２】図１に示した炊飯器におけるハンドルの要部拡大図。
【図３】ハンドルが前傾当接位置にある位置決め装置を説明する図。
【図４】ハンドルが前傾直立戻り位置にある位置決め装置を説明する図。
【図５】ハンドルが前傾遊動境界位置にある位置決め装置を説明する図。
【図６】ハンドルが直立位置にある位置決め装置を説明する図。
【図７】ハンドルが後傾直立戻り位置にある位置決め装置を説明する図。
【図８】ハンドルが後方戻り境界位置にある位置決め装置を説明する図。
【図９】ハンドルが後方位置にある位置決め装置を説明する図。
【発明を実施するための形態】
【００１８】
以下に、一実施形態に係る炊飯器１について、図１乃至９を参照しながら詳細に説明する。
【００１９】
図１に示すように、炊飯器１は、鍋（不図示）と、鍋を着脱可能に収容する炊飯器本体１０と、該炊飯器本体１０に対して開閉可能にヒンジ接続された蓋体１１と、を備えている。炊飯器本体１０は、上端及び下端を開口した筒状をなす胴体１２と、胴体１２の下端開口を閉塞する底体２２と、を有する外装体を備えている。炊飯器本体１０の内部には、調理物である飯米と水とがセットされた鍋を加熱するための加熱部（電熱ヒータ又はＩＨコイル）が配設されている。蓋体１１の上パネル１４の前方側には、炊飯条件を設定したり動作状態や設定内容を表示したりする操作パネル部（表示部及びスイッチ）１９が配設されている。上パネル１４の前方側には、炊飯器本体１０とのロックを解除して蓋体１１を開放するための開放操作部材１６が配設されている。上パネル１４の後方側には、炊飯中に鍋の内部で発生した蒸気を排出するための蒸気排出口１７が配設されている。そして、全体が逆Ｕ字形状をなすハンドル３０が、胴体１２の上部の両側面に取り付けられた一対のカム受け部材４０，４０に対して回動自在に構成されている。そして、カム受け部材４０とカム６０と付勢部材５０とが、ハンドル３０の位置決めを行う位置決め装置７０を構成している。
【００２０】
図１及び２に示すように、ハンドル３０は、一対のアーム部３１，３１と、該アーム部３１，３１を連結する把持部３２と、該アーム部３１，３１から内方に突出する円柱状の軸部３３，３３と、を備える。各軸部３３，３３は軸線Ｏを有し、ハンドル３０は、軸線Ｏを中心にして、後述する回動範囲で回動する。各軸部３３，３３上には、ハンドル３０が炊飯器本体１０から不用意に抜けるのを防止する抜止部３５，３５がそれぞれ形成されている。抜止部３５は、アーム部３１と反対方向に延びている。該抜止部３５，３５よりも軸部３３の内方には、カム６０，６０がそれぞれ形成されている。なお、軸線Ｏは、ハンドル３０の後方位置において、アーム部３が水平方向に延在するように、アーム部３１の中心線よりも下方に位置している。
【００２１】
カム６０は、軸部３３の外周面よりも径方向外側に大きく雫状に突出する大突出部６１と、大突出部６１の反対側であって、軸部３３の外周面よりも径方向外側に小さく雫状に突出する小突出部６２とを有する。カム６０の断面形状は、大突出部６１及び小突出部６２によって、一方側と他方側とがそれぞれ雫状に突出する非円形形状をしている。大突出部６１と小突出部６２との間に形成される輪郭面は、ハンドル３０を位置決めするためのカム面を構成している。抜止部３５が延びる方向に位置する輪郭面は、大突出部６１、平坦部６３、曲面部６４及び小突出部６２の順で連続的につながることによって形成されている。抜止部３５が延びる方向と反対側に位置する輪郭面は、大突出部６１、平坦部６６、曲面部６５及び小突出部６２の順で連続的につながることによって形成されている。平坦部６３，６６は、軸線Ｏ方向と平行に延びる平面を有する。曲面部６４，６５は、軸部３３の外周面と同じ曲率を持った曲面を有する。
【００２２】
他方、図３乃至９に示すように、カム６０を受け入れてカム６０と係合するカム受け部材４０が、胴体１２の上部の両側面に取り付けられている。カム受け部材４０は、ベース部４１と、第１受け部４２と、第２受け部４３と、付勢部材５０とを有する。第１受け部４２及び第２受け部４３が、略板状に延びるベース部４１に対して大略直交する方向に延び、第１受け部４２及び第２受け部４３の間隙には、略逆Ｖ字状に切り欠かれた係合溝４７が形成されている。係合溝４７は、第１受け部４２の第１傾斜面４４と、第２受け部４３の第２傾斜面４５と、から構成されている。第２傾斜面４５の方が、第１傾斜面４４よりも傾斜が急峻である。係合溝４７は、ベース部４１に近づくに従って、先窄まりになる形状となっている。係合溝４７は、ハンドル３０が回動するときにカム６０を軸支する軸支部として機能している。
【００２３】
第１受け部４２を挟んで第２受け部４３と反対側にあるベース部４１には、付勢部材５０が取り付けられている。付勢部材５０は、複数段に折り曲げられた板バネであり、基部５１と、バネ支持部５２と、屈曲部５３と、圧接部５４とを有する。基部５１及びバネ支持部５２が、カム受け部材４０のベース部４１に固定されている。付勢部材５０は、バネ支持部５２と屈曲部５３との間の折り曲げ部を支点５７として弾性的に変形することにより、付勢力を生じさせる。当該付勢力は、圧接部５４の圧接面５５を介して、カム６０の輪郭面に伝えられる。その結果、ハンドル３０が回動するとき、係合溝４７と付勢部材５０とによって、付勢状態でカム６０が軸支されている。
【００２４】
カム６０は、通常、カム受け部材４０の第１傾斜面４４及び第２傾斜面４５と、付勢部材５０の圧接面５５との３箇所で当接して係合するように構成されている。ハンドル３０の回動位置が変化すると、カム６０におけるいずれの部分が第１傾斜面４４、第２傾斜面４５及び圧接面５５に当接するかで、カム６０の係合状態と付勢部材５０からの付勢力の大きさとが変化する。以下に、図３乃至９を参照しながら、ハンドル３０の回動位置と、カム６０の係合状態及び付勢部材５０からの付勢力との関係を説明する。
【００２５】
図３は、ハンドル３０が前傾当接位置にある位置決め装置７０を説明する図である。前傾当接位置というのは、ハンドル３０が最も前方に傾斜して、ハンドルの把持部３２が蓋体１１の上パネル１４の前方上面に当接する位置のことを指している。ハンドル３０の回動が上パネル１４の前方上面で規制されて、ハンドル３０が前傾当接位置よりもさらに前方に傾斜することは無い。前傾当接位置は、例えば、ハンドル３０が、直立位置に対して約６０度前方に傾斜した位置である。
【００２６】
図３に示した前傾当接位置では、曲面部６５が第１傾斜面４４に当接し、曲面部６４が第２傾斜面４５に当接し、大突出部６１が圧接面５５に当接している。大突出部６１が圧接面５５に当接して、圧接部５４が比較的大きく押し下げられているため、付勢部材５０からは、比較的大きな付勢力が生じている。付勢部材５０による付勢力が働いているので、カム６０と、カム受け部材４０及び付勢部材５０との間での上記当接は、圧接になっている。また、大突出部６１が圧接面５５に当接した状態は、安定的な状態ではないため、他の安定的な状態に変移しようとする。このとき、付勢部材５０による比較的大きな付勢力がカム６０に作用しているため、前傾当接位置にあるハンドル３０が、後述する前傾直立戻り位置や前傾遊動境界位置に留まること無く、後述する直立位置（所定位置）に変移する。
【００２７】
図４は、ハンドル３０が前傾直立戻り位置にある位置決め装置７０を説明する図である。前傾直立戻り位置というのは、前傾したハンドル３０が、直立位置まで戻ることが可能となる位置のことを指している。図４に示した前傾直立戻り位置では、曲面部６５が第１傾斜面４４に当接し、曲面部６４が第２傾斜面４５に当接し、大突出部６１が圧接面５５に当接している。付勢部材５０による付勢力が働いているので、カム６０と、カム受け部材４０及び付勢部材５０との間での上記当接は、圧接になっている。しかしながら、大突出部６１のうち最も大きく突出した頂部から外れた湾曲部分が圧接面５５に圧接しているため、圧接部５４があまり大きく押し下げられていない。しかしながら、付勢部材５０からは、前傾当接位置の付勢力よりも小さいものの、比較的大きな付勢力が生じている。したがって、このような付勢力がカム６０に作用することによって、前傾直立戻り位置にあるハンドル３０が、後述する直立位置（所定位置）まで変移する。前傾直立戻り位置は、例えば、ハンドル３０が、直立位置に対して約３０度前方に傾斜した位置である。
【００２８】
なお、ハンドル３０が前傾当接位置と後述する前傾遊動境界位置との間に位置するとき、大突出部６１の頂部から平坦部６３に至るまでの部分が圧接面５５に当接して、比較的大きな付勢力が働くため、ハンドル３０が、前傾遊動境界位置に留まること無く、図６に示した直立位置に変移する。
【００２９】
図５は、ハンドル３０が前傾遊動境界位置にある位置決め装置７０を説明する図である。前傾遊動境界位置というのは、前傾したハンドル３０が、遊動をスタートする境界位置のことを指している。図５に示した前傾遊動境界位置では、曲面部６５が第１傾斜面４４に当接し、曲面部６４が第２傾斜面４５に当接し、平坦部６３が圧接面５５に当接している。あるいは、平坦部６３と圧接面５５との間に微小な隙間が設けられる構成とすることで、曲面部６５、曲面部６４又は平坦部６３の少なくとも１つが、非圧接状態にしてもよい。ハンドル３０の回動による圧接部５４の押し下げが、ほとんど又は全く生じていないため、ハンドル３０の回動により、付勢部材５０からは、非常に小さな付勢力が生じているか又は付勢力が生じていない。すなわち、ハンドル３０の回動による付勢力が、実質的に作用しておらず、実質的にゼロである。平坦部６３と圧接面５５との間では平面同士が当接するとともに、付勢部材５０による付勢力が実質的に作用していないため、前傾遊動境界位置は比較的安定な状態である。ハンドル３０を前傾遊動境界位置から直立位置の方に回動させると、曲面部６４が圧接面５５に対向するようになり、前傾遊動境界位置での関係が維持される。このように、付勢部材５０による付勢力が実質的にゼロであるので、ハンドル３０が遊動することができる。前傾遊動境界位置は、例えば、ハンドル３０が、直立位置に対して約２０度前方に傾斜した位置である。
【００３０】
炊飯器１は、一般的に、調理物（例えば、米と水）の有無で炊飯器１の重心が変動するが、ハンドル３０の位置が炊飯器本体１０に対して実質的に固定された構成にすると、重心の変動にハンドル３０の位置を追従させることが難しくなる。すなわち、調理物が有る場合を基準にして、炊飯器１を持ち運ぶときにハンドル３０が略垂直上方であって炊飯器本体１０が略水平方向になるように構成すると、調理物が無い場合にはハンドル３０が略垂直上方から外れた位置に位置するため、炊飯器１の持ち運び性が低下する。調理物が無い場合を基準にした逆の場合も同様である。これに対して、ハンドル３０が遊動する遊動範囲を直立位置から前方側に設けることにより、調理物（例えば、米と水）の有無による炊飯器１の重心の変動の影響を受けにくくなり、炊飯器１の持ち運び性が向上する。
【００３１】
図６は、ハンドル３０が直立位置にある位置決め装置７０を説明する図である。直立位置は、ハンドル３０が垂直上向きに直立する位置のことを指している。直立位置は、炊飯器１を持ち運ぶときに使用されるハンドル３０の一態様であり、所定位置の一つである。
【００３２】
図６に示した直立位置では、平坦部６６が第１傾斜面４４に当接し、小突出部６２が第２傾斜面４５に当接し、曲面部６４が圧接面５５に当接している。ハンドル３０の回動による圧接部５４の押し下げがほとんど生じないため、ハンドル３０の回動により、付勢部材５０からは、非常に小さな付勢力が生じるだけである。付勢部材５０による付勢力が僅かに働いているので、カム６０と、カム受け部材４０及び付勢部材５０との間での上記当接は、圧接になっている。平坦部６６と第１傾斜面４４との間では平面同士が当接し、小突出部６２が第２傾斜面４５と係合している。そして、付勢部材５０による付勢力が小さい。したがって、直立位置は非常に安定な状態であり、ハンドル３０が確実に位置決めされる。すなわち、第２傾斜面４５と係合している小突出部６２が第２傾斜面４５を乗り越えて曲面部６５が第２傾斜面４５に当接するためには回動力を必要とする。そのため、直立位置にあるハンドル３０が、直立位置から外れる所定外位置に変移することを妨げており、カム６０の回動が規制されている。したがって、図６に示した直立位置は、非常に安定した所定位置である。
【００３３】
なお、ハンドル３０が前傾遊動境界位置と直立位置との間に位置するとき、曲面部６５、曲面部６４又は平坦部６３の少なくとも１つが非圧接状態であるか又は、曲面部６５、曲面部６４又は平坦部６３の全てが僅かに当接した状態であるため、ハンドル３０が遊動することになる。そのため、前傾遊動境界位置から直立位置までの回動範囲は、比較的安定な遊動状態にあり、準安定位置ということができる。
【００３４】
図７は、ハンドル３０が後傾直立戻り位置にある位置決め装置７０を説明する図である。後傾直立戻り位置というのは、後傾したハンドル３０が直立位置まで戻ることが可能となる位置のことを指している。図７に示した後傾直立戻り位置では、ハンドル３０の把持部３２が蓋体１１の蒸気排出口１７の上方となる位置であり、当該後傾直立戻り位置は、例えば、ハンドル３０が、直立位置に対して約３０度後方に傾斜した位置である。
【００３５】
図７に示した後傾直立戻り位置では、大突出部６１が第１傾斜面４４に当接し、曲面部６５が第２傾斜面４５に当接し、曲面部６４が圧接面５５に当接している。大突出部６１のうち最も大きく突出した頂部から外れた湾曲部分が第１傾斜面４４に当接して、圧接部５４が大きく押し下げられているため、付勢部材５０からは、比較的大きな付勢力が生じている。付勢部材５０による付勢力が働いているので、カム６０と、カム受け部材４０及び付勢部材５０との間での上記当接は、圧接になっている。また、大突出部６１の湾曲部分が第１傾斜面４４に当接した状態は、安定的な状態ではないため、他の安定的な状態に変移しようとする。このとき、付勢部材５０による比較的大きな付勢力がカム６０に作用しているため、後傾直立戻り位置にあるハンドル３０が、直立位置（所定位置）に変移する。
【００３６】
図８は、ハンドル３０が後方戻り境界位置にある位置決め装置７０を説明する図である。後方戻り境界位置というのは、後傾したハンドル３０が、当該位置を境にして、後方位置まで戻ることが可能となる位置のことを指している。図８に示した後方戻り境界位置では、大突出部６１の頂部が第１傾斜面４４に当接し、曲面部６５が第２傾斜面４５に当接し、曲面部６４が圧接面５５に当接している。しかしながら、大突出部６１の頂部が第１傾斜面４４に当接にしているため、圧接部５４が大きく押し下げられている。そのため、付勢部材５０からは、非常に大きな付勢力が生じている。付勢部材５０による付勢力が働いているので、カム６０と、カム受け部材４０及び付勢部材５０との間での上記当接は、圧接になっている。また、大突出部６１のうち最も大きく突出した頂部が第１傾斜面４４に当接した状態は、安定的な状態ではないため、他の安定的な状態に変移しようとする。このとき、付勢部材５０による非常に大きな付勢力がカム６０に作用しているため、後方戻り境界位置にあるハンドル３０が、後述する後方位置（所定位置）に変移する。後方戻り境界位置は、例えば、ハンドル３０が、直立位置に対して約５６度後方に傾斜した位置である。
【００３７】
なお、ハンドル３０が後傾直立戻り位置と後方戻り境界位置との間に位置するとき、大突出部６１の頂部が第１傾斜面４４に当接する手前であって、後傾直立戻り位置の付勢力よりも大きな付勢力が働くため、ハンドル３０が、後傾直立戻り位置に留まること無く、図６に示した直立位置に変移する。
【００３８】
図９は、ハンドル３０が後方位置にある位置決め装置７０を説明する図である。後方位置は、蓋体１１を開閉動作するとき、ハンドル３０を後方側で保持する位置であり、所定位置の一つである。なお、炊飯器本体１０には、後方側に位置するハンドル３０の把持部３２を受け止めるためのストッパ部（不図示）が配設されている。なお、ハンドル３０は、必ずしもストッパ部で受け止める必要は無く、位置決め装置７０のみによって後方側で保持してもよい。
【００３９】
図９に示した後方位置では、大突出部６１が第１傾斜面４４に当接し、曲面部６５が第２傾斜面４５に当接し、小突出部６２が圧接面５５に当接している。付勢部材５０による付勢力が働いているので、カム６０と、カム受け部材４０及び付勢部材５０との間での上記当接は、圧接になっている。後方位置では、圧接部５４が押し下げられて付勢部材５０からは大きな付勢力が生じるものの、小突出部６２が圧接面５５と係合することによりカム６０の回動が規制されているとともに、ハンドル３０の把持部３２がストッパ部で受け止められている。そのため、後方位置は、非常に安定な位置であり、ハンドル３０が確実に位置決めされる。
【００４０】
このように、ハンドル３０は、軸線Ｏを中心にして、前傾当接位置から後方位置までの回動範囲で回動し、所定位置である直立位置又は後方位置に対して係合で位置決めされる。
【００４１】
なお、本願では、上述した前傾当接位置と前傾直立戻り位置と前傾遊動境界位置と後傾直立戻り位置と後方戻り境界位置とは、所定位置（直立位置又は後方位置）との対比で、所定位置から外れた位置を所定外位置と呼んでいる。
【００４２】
本発明の理解を容易にするために、具体的な構成や数字を用いて説明したが、本発明は、上述した各実施形態の具体的な構成や数字に限定されるものではなく、特許請求の範囲に記載した内容を逸脱しない範囲で考えられる各種の変形例を含むことができる。例えば、付勢部材５０は、板バネに限定されるものでは無く、カム６０に向けて付勢力を提供する構成、例えば、カム６０に対向して近接することのできる板状体を介在させて該板状体をコイルバネで付勢する構成とすることもできる。
【符号の説明】
【００４３】
１  炊飯器
１０  炊飯器本体
１１  蓋体
１２  胴体
１４  上パネル
１６  開放操作部材
１７  蒸気排出口
１９  操作パネル部
２２  底体
３０  ハンドル
３１  支持部
３２  把持部
３３  軸部
３５  抜止部
４０  カム受け部材
４１  ベース部
４２  第１受け部
４３  第２受け部
４４  第１傾斜面
４５  第２傾斜面
５０  付勢部材
５１  基部
５２  バネ支持部
５３  屈曲部
５４  圧接部
５５  圧接面
５７  支点
６０  カム
６１  大突出部
６２  小突出部
６３  平坦部
６４  曲面部
６５  曲面部
６６  平坦部
７０  位置決め装置
Ｏ  軸線
【図１】
0006279510.tif 000002
【図２】
0006279510.tif 000003
【図３】
0006279510.tif 000004
【図４】
0006279510.tif 000005
【図５】
0006279510.tif 000006
【図６】
0006279510.tif 000007
【図７】
0006279510.tif 000008
【図８】
0006279510.tif 000009
【図９】
0006279510.tif 000010